(57)【特許請求の範囲】
【請求項１】
画像を処理する撮像装置であって、
撮影のときに発光するストロボ部を有するコンベンショナルカメラ部と、
前記コンベンショナルカメラ部へ電力を供給する駆動用電池と、
前記駆動用電池の電圧を検出する駆動用電池電圧検出部と、
前記コンベンショナルカメラ部によって投影された画像を撮影及び処理し、時計機構を有する処理部と、
前記駆動用電池とは独立に設けられ、前記処理部へ電力を供給する処理用電池と、
前記処理用電池の電圧を検出する処理用電池電圧検出部と、
前記駆動用電池電圧検出部及び前記処理用電池電圧検出部から受け取った電圧情報に基づいて、前記駆動用電池及び前記処理用電池のいずれから前記コンベンショナルカメラ部へ電力を供給するかを判断する判断部と、
前記判断部が、前記駆動用電池の電圧が基準電圧より低いことを示す電圧情報を前記駆動用電池電圧検出部から受け取り、前記処理用電池から前記コンベンショナルカメラ部へ電力を供給すると判断した場合、前記処理用電池から前記コンベンショナルカメラ部へ電力を供給し、前記処理用電池の電圧が最低電圧よりも低いことを示す電圧情報を前記処理用電池電圧検出部から受け取った場合、前記処理用電池から前記コンベンショナルカメラ部への電力の供給を停止させ、前記処理用電池から前記時計機構へ電力を供給する切替部と
を備え、
前記コンベンショナルカメラ部は、前記ストロボ部への充電を制御する制御部をさらに有し、
前記判断部は、前記駆動用電池の電圧が基準電圧よりも低いことを示す電圧情報及び前記処理用電池の電圧が前記最低電圧より高いことを示す電圧情報を受け取った場合に、前記処理用電池から前記コンベンショナルカメラ部へ電力を供給させることを示す指示情報を前記切替部へ送り、撮影モードを非ストロボ撮影モードに設定し、前記非ストロボ撮影モードの情報を前記制御部へ送り、
前記制御部は、前記処理用電池から前記コンベンショナルカメラ部へ電力が供給された場合に撮影動作を許可し、前記ストロボ部への充電を禁止することを特徴とする撮像装置。
【発明の詳細な説明】
【０００１】
【発明の属する技術分野】
本発明は、２つの電池電源を備える撮像装置に関する。特に本発明は、駆動用電池の電圧が所定の値以下になると、処理用電池から駆動部へ電力を供給する切替部を備える撮像装置に関する。
【０００２】
【従来の技術】
従来の撮像装置は、駆動用電池が消耗した場合や、駆動用電池を交換するとき等のように駆動用電池から撮像装置へ電力を供給できないとき、駆動用電池の代わりに撮像装置へ微弱な電力を供給するいわゆるバックアップ電池を有している。
【０００３】
特開平１１−１６０７７２号（公開日平成１１年６月１８日）は、電池交換時に、電力の供給源が電池からコンデンサに切り替わる撮像装置を開示している。特開平１１−１８３１０号（公開日平成１１年１月２２日）は、撮像装置用の電池とプリンタ用の電池を有するシステムを開示している。
【０００４】
【発明が解決しようとする課題】
従来の撮像装置においては、駆動用電池から撮像装置へ電力を供給できない場合は、バックアップ電池が、撮像装置へ微弱な電力のみを供給する。そのため、撮像装置は計時動作以外の動作を行うことができなかった。
【０００５】
そこで本発明は、上記の課題を解決することのできる撮像装置を提供することを目的とする。この目的は特許請求の範囲における独立項に記載の特徴の組み合わせにより達成される。また従属項は本発明の更なる有利な具体例を規定する。
【０００６】
【課題を解決するための手段】
即ち、本発明の第１の形態によると、画像を処理する撮像装置であって、コンベンショナルカメラ部と、コンベンショナルカメラ部へ電力を供給する駆動用電池と、駆動用電池の電圧を検出する駆動用電池電圧検出部と、コンベンショナルカメラ部によって投影された画像を撮影及び処理する処理部と、処理部へ電力を供給する、駆動用電池とは独立に設けられた処理用電池と、処理用電池の電圧を検出する処理用電池電圧検出部と、駆動用電池電圧検出部、及び処理用電池電圧検出部から受け取った電圧情報に基づいて、駆動用電池、及び処理用電池のいずれからコンベンショナルカメラ部へ電力を供給するかを判断する判断部と、判断部が駆動用電池の電圧が処理用電池の電圧より低くなったと判断した場合に、処理用電池からコンベンショナルカメラ部へ電力を供給する切替部とを備える。また、画像を処理する撮像装置であって、撮像のときに発光するストロボ部を有するコンベンショナルカメラ部と、コンベンショナルカメラ部へ電力を供給する駆動用電池と、駆動用電池の電圧を検出する駆動用電池電圧検出部と、常に電力を必要とする機構を有する、コンベンショナルカメラ部によって投影された画像を撮影及び処理する処理部と、処理部へ電力を供給する、駆動用電池とは独立に設けられた処理用電池と、処理用電池の電圧を検出する処理用電池電圧検出部と、駆動用電池電圧検出部、及び処理用電池電圧検出部から受け取った電圧情報に基づいて、駆動用電池、及び処理用電池のいずれからコンベンショナルカメラ部へ電力を供給するかを判断する判断部と、判断部が、駆動用電池電圧検出部から駆動用電池の電圧が基準電圧より低いことを示す電圧情報を受け取り、処理用電池からコンベンショナルカメラ部へ電力を供給することを判断した場合、処理用電池からコンベンショナルカメラ部へ電力を供給し、処理用電池電圧検出部から処理用電池の電圧が最低電圧よりも低いことを示す電圧情報を受け取った場合、処理用電池からコンベンショナルカメラ部への電力の供給を停止させ、処理用電池から常に電力を必要とする機構へ電力を供給する切替部とを備える。
【０００７】
前記切替部は、前記駆動用電池の電圧が所定の電圧以下になったことを条件として、前記処理用電池から前記コンベンショナルカメラ部へ電力を供給する手段を有してもよい。
【０００８】
前記切替部は、前記駆動用電池が取り付けられていない場合に、前記処理用電池から前記コンベンショナルカメラ部へ電力を供給する手段をさらに有してもよい。
【０００９】
前記コンベンショナルカメラ部は、前記撮像のときに発光するストロボ部と、前記ストロボ部への充電を制御する制御部とを有してもよく、前記制御部は、前記処理用電池から前記コンベンショナルカメラ部へ電力が供給された場合に、前記ストロボ部への充電を禁止する手段を有してもよい。
【００１０】
前記コンベンショナルカメラ部は、前記撮像のときに発光するストロボ部と、前記ストロボ部への充電を制御する制御部とを有してもよく、前記制御部は、前記駆動用電池の電圧が前記所定の値以下になると、前記ストロボ部への充電を禁止する手段をさらに有してもよい。
【００１１】
前記駆動用電池の最大電流が、前記処理用電池の最大電流より大きくてもよい。
【００１２】
前記撮影用電池は、充電不能な一次電池であってもよく、前記処理用電池は、充電可能な蓄電池であってもよい。
【００１３】
前記駆動用電池の容量が、前記処理用電池の容量より大きくてもよい。
【００１４】
なお上記の発明の概要は、本発明の必要な特徴の全てを列挙したものではなく、これらの特徴群のサブコンビネーションも又発明となりうる。
【００１５】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１６】
図１は、撮像装置の第１の実施形態としてのデジタルカメラの構成図である。本デジタルカメラは、コンベンショナルカメラ部１０と駆動用電池７０と駆動用電池電圧検出部７４と処理部３０と判断部５０と切替部６０と処理用電池７２と処理用電池電圧検出部７６とを備える。コンベンショナルカメラ部１０は、外界の画像を投影する。処理部３０は、コンベンショナルカメラ部１０によって投影された画像を記録する。駆動用電池７０は、コンベンショナルカメラ部１０へ電力を与える。処理用電池７２は、処理部３０へ電力を与える。判断部５０は、駆動用電池電圧検出部７４及び処理用電池電圧検出部７６が検出した駆動用電池７０及び処理用電池７２の電圧に基づいて、コンベンショナルカメラ部１０を制御する。本デジタルカメラは、一眼レフタイプであり、レンズの交換が可能であってもよい
【００１７】
コンベンショナルカメラ部１０は、レンズ１４と絞り１６とストロボ部２０と制御部２２と駆動部２４とを有する。レンズ１４は被写体の像を結像し、絞り１６は絞り量を調整する。ストロボ部２０は、発光して撮影に必要な光量を補う。コンベンショナルカメラ部１０は、シャッタースピードを調整する機械式シャッターをさらに有してもよい。
【００１８】
制御部２２は、レンズ１４及び絞り１６による動作を制御する。すなわち、制御部２２は、レンズ１４のズーム及びフォーカス、絞り１６の絞り量のうち少なくとも１つを制御する。制御部２２はまた、判断部５０から受け取った撮影モードに関する情報に基づいて、レンズ１４及び絞り１６による動作を許可あるいは禁止する。制御部２２はまた、ストロボ部２０の充電を許可あるいは禁止する。駆動部２４は、レンズ１４及び絞り１６を駆動する。駆動部２４は、モーター等を有する。
【００１９】
処理部３０は、レンズ１４によって結像された画像を撮影し、処理する。処理部３０は、ＣＣＤ（Charge coupled device：電荷結合素子）３４とＡ／Ｄ変換部３６とメモリ３８と信号処理部４０と記録部４２と表示部４４とを有する。
【００２０】
ＣＣＤ３４は、電子シャッター機能を有し、画像を撮影する。電子シャッター機能を実現するために、ＣＣＤ３４にシャッターゲートを介してシャッタードレインが設けられる。シャッターゲートを駆動すると蓄積電荷がシャッタードレインに掃き出される。シャッターゲートの制御により、各センサエレメントに電荷を蓄積するための時間、すなわちシャッタースピードが制御できる。ＣＣＤ３４は、さらに撮影した画像を電気信号に変換する。Ａ／Ｄ変換部３６は、ＣＣＤ３４から受け取ったアナログ信号をデジタル信号に変換してメモリ３８に出力する。メモリ３８は、受け取った被写体の画像を格納する。信号処理部４０は、メモリ３８に格納された画像を処理して、記録部４２及び表示部４４へ送る。
【００２１】
表示部４４は、信号処理部４０から受け取った画像を表示する。表示部４４は、例えば画像及び文字を画面表示するカメラ内蔵型の液晶モニタ等であってもよい。
【００２２】
記録部４２は、信号処理部４０から受け取った画像を記録媒体に記録する。記録媒体としては、メモリーカード等の着脱可能な不揮発性の半導体メモリ、フロッピーディスク等の着脱可能な磁気記録媒体等を用いてもよい。メモリーカードとしては、例えばフラッシュＲＯＭ（ Read-Only Memory）のように電気的にデータを読み書き可能な媒体が用いられる。記録部４２としては、メモリーカードライタ、フロッピーディスクドライブ等が用いられる。
【００２３】
駆動用電池７０は、切替部６０を介してコンベンショナルカメラ部１０のストロボ部２０、制御部２２、及び駆動部２４へ電力を供給する。処理用電池７２は、処理部３０へ電力を供給する。第２電池７２はまた、切替部６０を介して、制御部２２及び駆動部２４へ電力を供給する。処理部３０及び駆動部２４は、ストロボ部２０ほど大きな瞬間電流を必要としない。従って、処理用電池７２の最大電流は、駆動用電池７０の最大電流よりも少なくていよい。駆動用電池７０と第２電池７２は、例えば最大電流が３：１の比となるような２つの電池であることが好ましい。駆動用電池７０と処理用電池７２はさらに、それぞれ最大電流が６Ａ程度及び２Ａ程度であることが好ましい。駆動用電池７０は充電不能な一次電池であり、第２電池７２は、充電可能な蓄電池である。
【００２４】
駆動用電池電圧検出部７４は、駆動用電池７０の電圧を検出し、駆動用電池７０の電圧が駆動部２４を作動させるのに十分な基準電圧より高いか否かを示す電圧情報を判断部５０へ送る。処理用電池電圧検出部７６は、処理用電池７２の電圧を検出し、処理用電池７２の電圧が処理部３０を作動させるために必要な最低電圧より高いか否かを示す電圧情報を判断部５０へ送る。
【００２５】
判断部５０は、制御部２２及び切替部６０の動作を制御する。判断部５０はまた、処理部３０の動作を制御してもよい。判断部５０は、駆動用電池電圧検出部７４及び処理用電池電圧検出部７６から受け取った電圧情報に基づいて、駆動用電池７０及び処理用電池７２のいずれからコンベンショナルカメラ部１０へ電力を供給するかを示す指示情報を切替部６０へ送る。判断部５０はまた、駆動用電池電圧検出部７４及び処理用電池電圧検出部７６から受け取った電圧情報に基づいて撮影モードを設定し、設定した撮影モードの情報を制御部２２へ送る。撮影モードには、ストロボ部２０を発光させて撮影するストロボ撮影及びストロボ部２０を発光させずに撮影する非ストロボ撮影のいずれも行うことができるストロボ撮影モード、非ストロボ撮影のみ行うことができる非ストロボ撮影モード、及び撮影できない、すなわちコンベンショナルカメラ部１０が撮影動作を行わない撮影禁止モードがある。
【００２６】
判断部５０は、駆動用電池７０の電圧が基準電圧よりも高いことを示す電圧情報及び処理用電池７２の電圧が最低電圧よりも高いことを示す電圧情報を受け取った場合、駆動用電池７０からコンベンショナルカメラ部１０へ電力を供給させることを示す指示情報を切替部６０へ送る。判断部５０はまた、撮影モードをストロボ撮影モードに設定し、ストロボ撮影モードの情報を制御部２２へ送る。この場合、制御部２２は、撮影動作及びストロボ部２０への充電を許可する。
【００２７】
判断部５０は、駆動用電池７０の電圧が基準電圧よりも低いことを示す電圧情報及び処理用電池７２の電圧が最低電圧より高いことを示す電圧情報を受け取った場合、処理用電池７２からコンベンショナルカメラ部１０へ電力を供給させることを示す指示情報を切替部６０へ送る。判断部５０はまた、撮影モードを非ストロボ撮影モードに設定し、非ストロボ撮影モードの情報を制御部２２へ送る。この場合、制御部２２は、撮影動作を許可し、ストロボ部２０への充電を禁止する。これによって、駆動用電池７０の電圧が基準値以下になった場合にも、処理用電池７２からコンベンショナルカメラ部１０へ電力を供給することができる。また、非ストロボ撮影モードにすることによって、駆動用電池７０に比べて最大電流の小さい処理用電池７２から電力を供給した場合でも撮影を行うことができる。
【００２８】
判断部５０は、処理用電池７２の電圧が最低電圧よりも低いことを示す電圧情報を受け取った場合、コンベンショナルカメラ部１０への電力の供給を停止させることを示す指示情報を切替部６０へ送る。判断部５０はまた、撮影モードを撮影禁止モードに設定し、撮影禁止モードに関する情報を制御部２２へ送る。この場合、制御部２２は、撮影動作及びストロボ部２０への充電を禁止する。これによって、処理用電池７２は、バックアップ電池程度の容量を残して、コンベンショナルカメラ部１０への電力の供給を停止することができる。このため、処理用電池７２は、処理部３０の時計機構等のように常に電力を必要とする機構へ電力を供給し続けることができる。
【００２９】
切替部６０は、判断部５０から受け取った指示情報に基づいて、駆動用電池７０または処理用電池７２のいずれか一方の電力をコンベンショナルカメラ部１０へ供給する。切替部６０は、スイッチ回路であってもよい。
【００３０】
図２は、図１に示すデジタルカメラの動作を示すフローチャートである。デジタルカメラの動作が開始すると、処理用電池電圧検出部７６は、処理用電池７２の電圧を検出し（Ｓ１００）、最低電圧よりも高いか否かを判断する（Ｓ１０２）。処理用電池７２の電圧が最低電圧よりも低い場合（Ｓ１０２）、判断部５０は、切替部６０に対して、コンベンショナルカメラ部１０へ電力を供給するのを停止させる（Ｓ１０４）。判断部５０はまた、撮影モードを撮影禁止モードに設定する（Ｓ１０６）。この場合、撮影動作及びストロボ部２０への充電を禁止する。撮影が禁止されると、デジタルカメラの動作は終了する。
【００３１】
Ｓ１０２で処理用電池７２の電圧が最低電圧よりも高い場合、駆動用電池電圧検出部７４は、駆動用電池７０の電圧を検出し（Ｓ１１０）、駆動部２４を駆動させるのに十分な基準電圧より高いか否かを判断する（Ｓ１１２）。駆動用電池７０の電圧が基準電圧よりも高い場合（Ｓ１１２）、判断部５０は、切替部６０に対して、駆動用電池７０からコンベンショナルカメラ部１０へ電力を供給させる（Ｓ１１４）。判断部５０はまた、撮影モードを、ストロボ撮影モードに設定する（Ｓ１１６）。この場合、制御部２２は、撮影動作及びストロボ部２０への充電を許可する。次に、撮影が許可され、撮影者は、ストロボ撮影又は非ストロボ撮影を行うことができる（Ｓ１１８）。さらに、続けて撮影を行う場合は（Ｓ１２０）、処理用電池電圧検出段階（Ｓ１００）へ戻り、処理用電池電圧検出部７６は、再び処理用電池７２の電圧を検出し、処理用電池７２の電圧が最低電圧よりも高いか否かを判断する。撮影を終了する場合（Ｓ１２０）は、デジタルカメラの動作は終了する。
【００３２】
Ｓ１１２で駆動用電池７０の電圧が基準電圧よりも低い場合、判断部５０は、切替部６０に対して、処理用電池７２からコンベンショナルカメラ部１０へ電力を供給させる（Ｓ１４０）。判断部５０はまた、撮影モードを非ストロボ撮影モードに設定する（Ｓ１４２）。この場合、制御部２２は、撮影動作を許可し、ストロボ部２０への充電を禁止する。次に、非ストロボ撮影が許可され、撮影者は非ストロボ撮影を行うことができる（Ｓ１４４）。さらに続けて撮影を行う場合には（Ｓ１４６）、処理用電池電圧検出段階（Ｓ１００）へ戻り、処理用電池電圧検出部７６は、再び処理用電池７２の電圧を検出し、検出された電圧が最低電圧よりも高いか否かを判断する。撮影を終了する場合は（Ｓ１４６）、デジタルカメラの動作は終了する。
【００３３】
図３は、撮像装置の第２の実施形態としてのデジタルカメラの構成図である。本実施形態における切替部６０は、第１実施形態における駆動用電池電圧検出部７４及び処理用電池電圧検出部７６を有し、駆動用電池７０及び処理用電池７２の電圧を検出する。切替部６０は、検出した電圧値に基づいて駆動用電池７０または処理用電池７２のいずれか一方の電力をコンベンショナルカメラ部１０へ供給する。この点で本実施形態は、判断部５０が切替部６０の切り替えを制御する第１の実施形態とは異なる。切替部６０は、駆動用電池７０の電圧が基準電圧より高いことを検出した場合、駆動用電池７０からコンベンショナルカメラ部１０へ電力を供給する。切替部６０は、駆動用電池７０の電圧が基準電圧より低いことを検出した場合、処理用電池７２からコンベンショナルカメラ部１０へ電力を供給する。切替部６０は、処理用電池７２の電圧が最低電圧より低いことを検出した場合は、コンベンショナルカメラ部１０へ電力を供給するのを停止する。本実施形態における切替部６０は、ＩＣ（Integrated Circuit：集積回路）であってもよい。
【００３４】
判断部５０は、切替部６０から受け取った電圧情報に基づいて、撮影モードを設定し、設定した撮影モードに関する情報を制御部２２へ送る。判断部５０が制御部２２及び信号処理部４０に対して行う動作は、図１において説明した判断部５０の動作と同一であるから説明を省略する。
【００３５】
本実施形態におけるコンベンショナルカメラ部１０及び処理部３０の動作は、図１において説明したコンベンショナルカメラ部１０及び処理部３０の動作と同一であるから説明を省略する。駆動用電池７０及び処理用電池７２の動作は、図１において説明した駆動用電池７０及び処理用電池７２の動作と同一であるから説明を省略する。また、カメラの動作を示すフローチャートは、図２を用いて説明した第１実施形態におけるカメラの動作を示すフローチャートと同一であるから説明を省略する。
【００３６】
図４は、撮像装置の第３の実施形態としてのデジタルカメラの構成図である。本実施形態の切替部６０は、駆動用電池７０からコンベンショナルカメラ部１０へ接続された第１のダイオード９０及び処理用電池７２からコンベンショナルカメラ部１０へ接続された第２のダイオード９２を有する。切替部６０は、駆動用電池７０の電圧が処理用電池７２の電圧より低くなると、処理用電池７２からコンベンショナルカメラ部１０へ電力を供給する。この点で、本実施形態は、駆動用電池７０の電圧が基準電圧以下になったことを条件として処理用電池７２からコンベンショナルカメラ部１０へ電力を供給する第１及び第２実施形態と異なる。
【００３７】
駆動用電池７０の電圧が処理用電池７２の電圧より高い場合、切替部６０は、駆動用電池７０から第１のダイオード９０を介してコンベンショナルカメラ部１０へ電力を供給する。切替部６０は、駆動用電池７０の電圧が処理用電池７２の電圧より低くなると、処理用電池７２から第２のダイオード９２を介してコンベンショナルカメラ部１０へ電力を供給する。第１のダイオード９０の降下電圧は、第２のダイオード９２の降下電圧よりも低いことが望ましい。これにより駆動用電池７０及び処理用電池７２の出力電圧が概ね同一である場合でも、駆動用電池７０から優先的にコンベンショナルカメラ部１０へ電力を供給することができる。判断部５０が制御部２２及び処理部３０に対して行う動作は、図１において説明した判断部５０の動作と同一であるから説明を省略する。このように、本実施形態においては、切替部６０は判断部５０から指示情報を受け取ることなくコンベンショナルカメラ部１０への電力の供給源を駆動用電池７０から処理用電池７２へ切り替えることができる。
【００３８】
本実施形態におけるコンベンショナルカメラ部１０、処理部３０、駆動用電池電圧検出部７４、及び処理用電池電圧検出部７６の動作は、図１において説明したコンベンショナルカメラ部１０、処理部３０、駆動用電池電圧検出部７４、及び処理用電池電圧検出部７６の動作と同一であるから説明を省略する。駆動用電池７０及び処理用電池７２の動作は、図１おいて説明した駆動用電池７０及び処理用電池７２の動作と同一であるから説明を省略する。また、カメラの動作を示すフローチャートは、図２を用いて説明した第１実施形態におけるカメラの動作を示すフローチャートと同一であるから説明を省略する。
【００３９】
図５は、撮像装置の第４の実施形態としてのカメラの構成図である。本実施形態のカメラは、他の実施形態と比較して、駆動用電池電圧検出部７４及び処理用電池電圧検出部７６が設けられてなく、それらに換えて駆動用電池検出部６６をさらに備える。本実施形態の切替部６０は、駆動用電池７０が無い場合に、処理用電池７２からコンベンショナルカメラ部１０へ電力を供給する。この点で、本実施形態は、第１〜第３実施形態と異なる。
【００４０】
切替部６０は、駆動用電池７０が所定の位置にセットさている場合、駆動用電池７０からコンベンショナルカメラ部１０へ電力を供給する。切替部６０は、駆動用電池７０を交換するときなどのように、駆動用電池７０が所定の位置にセットされていない場合は、処理用電池７２からコンベンショナルカメラ部１０へ電力を供給する。従って、駆動用電池７０がセットされていない場合においても、切替部６０を介して処理用電池７２からコンベンショナルカメラ部１０へ電力を供給することができる。
【００４１】
駆動用電池検出部６６は、駆動用電池７０の有無を検出し、駆動用電池７０の有無を示す電池検出情報を判断部５０へ送る。判断部５０は、受け取った電池検出情報に基づいて、撮影モードを設定し、設定した撮影モードに関する情報を制御部２２へ送る。駆動用電池７０が所定の位置にセットされている場合、判断部５０は、撮影モードをストロボ撮影モードに設定する。駆動用電池７０が所定の位置にセットされていない場合、判断部５０は、撮影モードを非ストロボ撮影モードに設定する。これによって、駆動用電池７０が所定の位置にセットされていない場合においても、駆動用電池７０に比べて最大電流の小さい処理用電池７２から電力を供給することによって、撮影を行うことができる。
【００４２】
本実施形態におけるコンベンショナルカメラ部１０及び処理部３０の構成及び動作は図１におけるコンベンショナルカメラ部１０及び処理部３０の構成及び動作と同一であるから説明を省略する。また、駆動用電池７０及び処理用電池７２の動作は、図１に示す第１実施形態における駆動用電池７０及び処理用電池７２の動作と同一であるから説明を省略する。
【００４３】
図６は、本実施形態におけるデジタルカメラの動作を示すフローチャートである。デジタルカメラの動作が開始すると、切替部６０は、駆動用電池７０の有無を検出する（Ｓ２００）。駆動用電池検出部６６が、駆動用電池７０がセットされていることを検出した場合（Ｓ２０２）、切替部６０は、駆動用電池７０からコンベンショナルカメラ部１０へ電力を供給する（Ｓ２０４）。次に、判断部５０は、駆動用電池検出部６６から受け取った電池検出情報に基づいて、撮影モードをストロボ撮影モードに決定する（Ｓ２０６）。次に撮影が許可され、撮影者はストロボ撮影または非ストロボ撮影を行う（Ｓ２０８）。さらに、続けて撮影を行う場合は（Ｓ２１０）、駆動用電池検出段階（Ｓ２００）へ戻り、駆動用電池検出部６６は、再び駆動用電池７０の有無を検出する。撮影を終了する場合は、ここでデジタルカメラの動作が終了する。
【００４４】
Ｓ２０２で切替部６０が、駆動用電池７０が無いことを検出した場合、切替部６０は、処理用電池７２からコンベンショナルカメラ部１０へ電力を供給する（Ｓ２２０）。次に、判断部５０は、駆動用電池検出部６６から受け取った電池検出情報に基づいて、撮影モードを非ストロボ撮影モードに切り替える（Ｓ２２２）。次に撮影が許可され、撮影者は、非ストロボ撮影のみ行える（Ｓ２２４）。さらに続けて撮影を行う場合は、（Ｓ２２６）、駆動用電池検出段階（Ｓ２００）へ戻り、駆動用電池検出部６６は、再び駆動用電池の有無を検出する。撮影を終了する場合は、ここでデジタルカメラの動作は終了する。
【００４５】
以上のように、駆動用電池７０の電圧が基準電圧よりも低い場合に、処理用電池７２からコンベンショナルカメラ部１０へ電力を供給することができる。また、駆動用電池７０の電圧が基準電圧よりも低い場合に、ストロボ部２０の充電を禁止させることによって、駆動用電池７０に比べて最大電流の小さい処理用電池７２から電力を供給した場合でも撮影を行うことができる。処理用電池７２の電圧が最低電圧よりも低い場合、撮影動作及びストロボ部２０への充電を禁止することによって、処理用電池７２は、バックアップ電池程度の容量を保持することができる。このため、処理用電池７２は、処理部３０の時計機構等のように常に電力を必要とする機構へ電力を供給し続けることができる。
【００４６】
さらに上記実施形態によれば、切替部６０は、駆動用電池７０が所定の位置にセットさている場合に、駆動用電池７０からコンベンショナルカメラ部１０へ電力を供給し、駆動用電池７０がセットされていない場合に、切替部６０を介して処理用電池７２からコンベンショナルカメラ部１０へ電力を供給する。駆動用電池７０が所定の位置にセットされていない場合、判断部５０は、制御部２２に対してストロボ部２０への充電を禁止させるので、駆動用電池７０に比べて最大電流の小さい処理用電池７２から電力を供給して撮影を行うことができる。
【００４７】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００４８】
【発明の効果】
上記説明から明らかなように、本発明によれば駆動部は異なる２つの電池電源から供給された電力を使用することができる。
【図面の簡単な説明】
【図１】デジタルカメラの構成図である。
【図２】図１に示すデジタルカメラの動作を示すフローチャートである。
【図３】第２実施形態におけるデジタルカメラの構成図である。
【図４】第３実施形態におけるデジタルカメラの構成図である。
【図５】第４実施形態におけるデジタルカメラの構成図である。
【図６】図５に示す第４実施形態におけるデジタルカメラの動作を示すフローチャートである。
【符号の説明】
１０  コンベンショナルカメラ部
１４  レンズ
１６  絞り
２０  ストロボ部
２２  制御部
２４  駆動部
３０  処理部
３４  ＣＣＤ
３６  Ａ／Ｄ変換部
３８  メモリ
４０  信号処理部
４２  記録部
４４  表示部
５０  判断部
６０  切替部
６６  駆動用電池検出部
７０  駆動用電池
７２  処理用電池
７４  駆動用電池電圧検出部
７６  処理用電池電圧検出部
９０  第１のダイオード
９２  第２のダイオード
【図１】
0004253089.tif 000002
【図２】
0004253089.tif 000003
【図３】
0004253089.tif 000004
【図４】
0004253089.tif 000005
【図５】
0004253089.tif 000006
【図６】
0004253089.tif 000007